(57)【要約】【課題】  場所及び受信者を特定してコンテンツの配信を行うことを可能とする。【解決手段】  情報配信単位ごとの第１の識別子、特定の場所に対応付けられた第２の識別子及びコンテンツの組を記憶する第１の記憶手段と、第１の識別子、第２の識別子及びコンテンツの組を携帯端末４ａから通信回線を介し受信して第１の記憶手段に格納する登録手段と、第１の識別子及び第２の識別子の組を携帯端末４ｂから通信回線を介し受信して第１の記憶手段から該受信した組のコンテンツを読み出し返信する配信手段とを有する情報配信サーバ１と、第２の識別子を発信する、当該第２の識別子に対応する特定の場所に設置されたＩＤ発信機３とを備える。【選択図】    図１
2006277455.tif 000002
【特許請求の範囲】
【請求項１】
情報配信単位ごとの第１の識別子、特定の場所に対応付けられた第２の識別子及びコンテンツの組を記憶する第１の記憶手段と、
前記第２の識別子を発信する、当該第２の識別子に対応する特定の場所に設置された無線発信機と、
前記第１の識別子、前記第２の識別子及びコンテンツの組を端末装置から通信回線を介し受信して前記第１の記憶手段に格納する登録手段と、
前記第１の識別子及び第２の識別子の組を端末装置から通信回線を介し受信して、前記第１の記憶手段から該受信した組のコンテンツを読み出し返信する配信手段と、
を備えたことを特徴とする情報配信システム。
【請求項２】
前記第２の識別子と当該第２の識別子に対応する特定の場所の組を記憶する第２の記憶手段と、
前記第２の記憶手段に記憶される特定の場所のリストを端末装置に通信回線を介し送信する第１のリスト送信手段と、
を備えたことを特徴とする請求項１に記載の情報配信システム。
【請求項３】
前記第１の記憶手段に記憶される特定の第１の識別子の組に属する第２の識別子のリストを端末装置に通信回線を介し送信する第２のリスト送信手段を備えたことを特徴とする請求項１又は２に記載の情報配信システム。
【請求項４】
既に配信済みのコンテンツに係る第１の識別子と第２の識別子の組を前記第１の記憶手段から削除する削除手段を備えたことを特徴とする請求項１から３のいずれかの項に記載の情報配信システム。
【請求項５】
前記削除手段は、既に配信済みのコンテンツに係る第１の識別子と第２の識別子の組の削除要求を端末装置から通信回線を介し受信したときに、前記第１の記憶手段からの削除を実行することを特徴とする請求項４に記載の情報配信システム。
【請求項６】
前記削除手段は、前記配信手段によってコンテンツの配信が完了したときに、前記第１の記憶手段からの削除を実行することを特徴とする請求項４に記載の情報配信システム。
【請求項７】
情報配信単位ごとの第１の識別子、特定の場所に対応付けられた第２の識別子及びコンテンツの組を記憶する第１の記憶手段と、
前記第１の識別子、前記第２の識別子及びコンテンツの組を端末装置から通信回線を介し受信して前記第１の記憶手段に格納する登録手段と、
前記第１の識別子及び第２の識別子の組を端末装置から通信回線を介し受信して、前記第１の記憶手段から該受信した組のコンテンツを読み出し返信する配信手段と、
を備えたことを特徴とする情報配信装置。
【請求項８】
前記第２の識別子と当該第２の識別子に対応する特定の場所の組を記憶する第２の記憶手段と、
前記第２の記憶手段に記憶される特定の場所のリストを端末装置に通信回線を介し送信する第１のリスト送信手段と、
を備えたことを特徴とする請求項７に記載の情報配信装置。
【請求項９】
前記第１の記憶手段に記憶される特定の第１の識別子の組に属する第２の識別子のリストを端末装置に通信回線を介し送信する第２のリスト送信手段を備えたことを特徴とする請求項７又は８に記載の情報配信装置。
【請求項１０】
既に配信済みのコンテンツに係る第１の識別子と第２の識別子の組を前記第１の記憶手段から削除する削除手段を備えたことを特徴とする請求項７から９のいずれかの項に記載の情報配信装置。
【請求項１１】
前記削除手段は、既に配信済みのコンテンツに係る第１の識別子と第２の識別子の組の削除要求を端末装置から通信回線を介し受信したときに、前記第１の記憶手段からの削除を実行することを特徴とする請求項１０に記載の情報配信装置。
【請求項１２】
前記削除手段は、前記配信手段によってコンテンツの配信が完了したときに、前記第１の記憶手段からの削除を実行することを特徴とする請求項１０に記載の情報配信装置。
【請求項１３】
情報配信単位ごとの第１の識別子、特定の場所に対応付けられた第２の識別子及びコンテンツの組を情報配信装置に通信回線を介し送信する送信手段を備えたことを特徴とする端末装置。
【請求項１４】
前記第２の識別子に対応する特定の場所のリストを前記情報配信装置から通信回線を介し取得するリスト取得手段を備えたことを特徴とする請求項１３に記載の端末装置。
【請求項１５】
情報配信単位ごとの第１の識別子と特定場所の位置情報の組を情報発信者の端末装置から通信回線を介し受信する第１の受信手段と、
特定の場所に設置された無線発信機から発信された該特定の場所に対応付けられた第２の識別子を受信する無線受信手段と、
前記第１の受信手段によって受信した第１の識別子と、前記無線受信手段によって受信した第２の識別子との組を情報配信装置に通信回線を介し送信する送信手段と、
前記情報配信装置からコンテンツを受信する第２の受信手段と、
を備えたことを特徴とする端末装置。
【請求項１６】
前記第１の受信手段によって受信した第１の識別子の組に属する第２の識別子のリストを前記情報配信装置から通信回線を介し取得するリスト取得手段を備え、
前記送信手段は、前記無線受信手段によって受信した第２の識別子と、前記リスト取得手段によって取得したリストとを照合して一致した場合に、前記情報配信装置への送信を実行することを特徴とする請求項１５に記載の端末装置。
【請求項１７】
既に受信済みのコンテンツに係る第１の識別子と第２の識別子の組を削除する要求を前記情報配信装置に行う削除要求手段を備えたことを特徴とする請求項１５又は１６に記載の端末装置。
【請求項１８】
情報配信システムにおけるサーバ処理を行うためのコンピュータプログラムであって、
情報配信単位ごとの第１の識別子、特定の場所に対応付けられた第２の識別子及びコンテンツの組を端末装置から通信回線を介し受信して第１の記憶手段に格納する機能と、
前記第１の識別子及び第２の識別子の組を端末装置から通信回線を介し受信して、前記第１の記憶手段から該受信した組のコンテンツを読み出し返信する機能と、
をコンピュータに実現させることを特徴とするコンピュータプログラム。
【請求項１９】
前記第２の識別子と当該第２の識別子に対応する特定の場所の組を記憶する第２の記憶手段に記憶される特定の場所のリストを端末装置に通信回線を介し送信する機能をさらにコンピュータに実現させることを特徴とする請求項１８に記載のコンピュータプログラム。
【請求項２０】
前記第１の記憶手段に記憶される特定の第１の識別子の組に属する第２の識別子のリストを端末装置に通信回線を介し送信する機能をさらにコンピュータに実現させることを特徴とする請求項１８又は１９に記載のコンピュータプログラム。
【請求項２１】
既に配信済みのコンテンツに係る第１の識別子と第２の識別子の組を前記第１の記憶手段から削除する機能をさらにコンピュータに実現させることを特徴とする請求項１８から２０のいずれかの項に記載のコンピュータプログラム。
【請求項２２】
既に配信済みのコンテンツに係る第１の識別子と第２の識別子の組の削除要求を端末装置から通信回線を介し受信したときに、前記第１の記憶手段からの削除を実行することを特徴とする請求項２１に記載のコンピュータプログラム。
【請求項２３】
前記コンテンツの配信が完了したときに、前記第１の記憶手段からの削除を実行することを特徴とする請求項２１に記載のコンピュータプログラム。
【発明の詳細な説明】
【技術分野】
【０００１】
本発明は、情報配信システム、情報配信装置、端末装置及びコンピュータプログラムに関する。
【背景技術】
【０００２】
従来よりＲＦＩＤ（Radio Frequency Identification）技術を利用した情報配信装置が知られている（例えば、特許文献１参照）。ＲＦＩＤ技術の一つの利用形態としては、ＲＦＩＤタグに識別子（タグＩＤ）を記録し、また、タグＩＤに対応するコンテンツを通信ネットワークに接続される情報配信装置に予め保持する。そして、ＲＦＩＤタグからタグＩＤを読み取り、そのタグＩＤに対応するコンテンツを情報配信装置から取得している。また、特許文献１記載の従来技術では、情報配信装置から情報を受け取って表示する表示装置にタグＩＤ受信機を設け、ＲＦＩＤタグから読み取ったタグＩＤを表示装置から情報配信装置に送信する。情報配信装置は、タグＩＤと利用者ＩＤの対応付けテーブルと、利用者ＩＤと利用者属性の対応付けテーブルと、利用者属性とコンテンツの対応付けテーブルとを有し、表示装置から受信したタグＩＤに対応する利用者属性を取得し、該利用者属性を属性として持つコンテンツを検索し、再生パターンとして当該表示装置に送信する。これにより、各表示装置の周辺にいる利用者にふさわしいコンテンツを自動的に選択して表示装置に配信している。
【特許文献１】特開２００４−０７８８２０号公報
【発明の開示】
【発明が解決しようとする課題】
【０００３】
しかし、上述した従来技術では、利用者がコンテンツを情報配信装置に登録して、特定の場所にいる特定の受信者に対してのみ、登録したコンテンツの配信を希望するような要求には応えることができない。
【０００４】
本発明は、このような事情を考慮してなされたもので、その目的は、場所及び受信者を特定してコンテンツの配信を行うことができる情報配信システム、情報配信装置及び端末装置を提供することにある。
【０００５】
また、本発明の他の目的は、本発明の情報配信装置をコンピュータを利用して実現するためのコンピュータプログラムを提供することにある。
【課題を解決するための手段】
【０００６】
上記の課題を解決するために、本発明に係る情報配信システムは、情報配信単位ごとの第１の識別子、特定の場所に対応付けられた第２の識別子及びコンテンツの組を記憶する第１の記憶手段と、前記第２の識別子を発信する、当該第２の識別子に対応する特定の場所に設置された無線発信機と、前記第１の識別子、前記第２の識別子及びコンテンツの組を端末装置から通信回線を介し受信して前記第１の記憶手段に格納する登録手段と、前記第１の識別子及び第２の識別子の組を端末装置から通信回線を介し受信して、前記第１の記憶手段から該受信した組のコンテンツを読み出し返信する配信手段と、を備えたことを特徴とする。
【０００７】
本発明に係る情報配信システムにおいては、前記第２の識別子と当該第２の識別子に対応する特定の場所の組を記憶する第２の記憶手段と、前記第２の記憶手段に記憶される特定の場所のリストを端末装置に通信回線を介し送信する第１のリスト送信手段と、を備えたことを特徴とする。
【０００８】
本発明に係る情報配信システムにおいては、前記第１の記憶手段に記憶される特定の第１の識別子の組に属する第２の識別子のリストを端末装置に通信回線を介し送信する第２のリスト送信手段を備えたことを特徴とする。
【０００９】
本発明に係る情報配信システムにおいては、既に配信済みのコンテンツに係る第１の識別子と第２の識別子の組を前記第１の記憶手段から削除する削除手段を備えたことを特徴とする。
【００１０】
本発明に係る情報配信システムにおいては、前記削除手段は、既に配信済みのコンテンツに係る第１の識別子と第２の識別子の組の削除要求を端末装置から通信回線を介し受信したときに、前記第１の記憶手段からの削除を実行することを特徴とする。
【００１１】
本発明に係る情報配信システムにおいては、前記削除手段は、前記配信手段によってコンテンツの配信が完了したときに、前記第１の記憶手段からの削除を実行することを特徴とする。
【００１２】
本発明に係る情報配信装置は、情報配信単位ごとの第１の識別子、特定の場所に対応付けられた第２の識別子及びコンテンツの組を記憶する第１の記憶手段と、前記第１の識別子、前記第２の識別子及びコンテンツの組を端末装置から通信回線を介し受信して前記第１の記憶手段に格納する登録手段と、前記第１の識別子及び第２の識別子の組を端末装置から通信回線を介し受信して、前記第１の記憶手段から該受信した組のコンテンツを読み出し返信する配信手段と、を備えたことを特徴とする。
【００１３】
本発明に係る情報配信装置においては、前記第２の識別子と当該第２の識別子に対応する特定の場所の組を記憶する第２の記憶手段と、前記第２の記憶手段に記憶される特定の場所のリストを端末装置に通信回線を介し送信する第１のリスト送信手段と、を備えたことを特徴とする。
【００１４】
本発明に係る情報配信装置においては、前記第１の記憶手段に記憶される特定の第１の識別子の組に属する第２の識別子のリストを端末装置に通信回線を介し送信する第２のリスト送信手段を備えたことを特徴とする。
【００１５】
本発明に係る情報配信装置においては、既に配信済みのコンテンツに係る第１の識別子と第２の識別子の組を前記第１の記憶手段から削除する削除手段を備えたことを特徴とする。
【００１６】
本発明に係る情報配信装置においては、前記削除手段は、既に配信済みのコンテンツに係る第１の識別子と第２の識別子の組の削除要求を端末装置から通信回線を介し受信したときに、前記第１の記憶手段からの削除を実行することを特徴とする。
【００１７】
本発明に係る情報配信装置においては、前記削除手段は、前記配信手段によってコンテンツの配信が完了したときに、前記第１の記憶手段からの削除を実行することを特徴とする。
【００１８】
本発明に係る端末装置は、情報配信単位ごとの第１の識別子、特定の場所に対応付けられた第２の識別子及びコンテンツの組を情報配信装置に通信回線を介し送信する送信手段を備えたことを特徴とする。
【００１９】
本発明に係る端末装置においては、前記第２の識別子に対応する特定の場所のリストを前記情報配信装置から通信回線を介し取得するリスト取得手段を備えたことを特徴とする。
【００２０】
本発明に係る端末装置は、情報配信単位ごとの第１の識別子と特定場所の位置情報の組を情報発信者の端末装置から通信回線を介し受信する第１の受信手段と、特定の場所に設置された無線発信機から発信された該特定の場所に対応付けられた第２の識別子を受信する無線受信手段と、前記第１の受信手段によって受信した第１の識別子と、前記無線受信手段によって受信した第２の識別子との組を情報配信装置に通信回線を介し送信する送信手段と、前記情報配信装置からコンテンツを受信する第２の受信手段と、を備えたことを特徴とする。
【００２１】
本発明に係る端末装置においては、前記第１の受信手段によって受信した第１の識別子の組に属する第２の識別子のリストを前記情報配信装置から通信回線を介し取得するリスト取得手段を備え、前記送信手段は、前記無線受信手段によって受信した第２の識別子と、前記リスト取得手段によって取得したリストとを照合して一致した場合に、前記情報配信装置への送信を実行することを特徴とする。
【００２２】
本発明に係る端末装置においては、既に受信済みのコンテンツに係る第１の識別子と第２の識別子の組を削除する要求を前記情報配信装置に行う削除要求手段を備えたことを特徴とする。
【００２３】
本発明に係るコンピュータプログラムは、情報配信システムにおけるサーバ処理を行うためのコンピュータプログラムであって、情報配信単位ごとの第１の識別子、特定の場所に対応付けられた第２の識別子及びコンテンツの組を端末装置から通信回線を介し受信して第１の記憶手段に格納する機能と、前記第１の識別子及び第２の識別子の組を端末装置から通信回線を介し受信して、前記第１の記憶手段から該受信した組のコンテンツを読み出し返信する機能と、をコンピュータに実現させることを特徴とする。
【００２４】
本発明に係るコンピュータプログラムにおいては、前記第２の識別子と当該第２の識別子に対応する特定の場所の組を記憶する第２の記憶手段に記憶される特定の場所のリストを端末装置に通信回線を介し送信する機能をさらにコンピュータに実現させることを特徴とする。
【００２５】
本発明に係るコンピュータプログラムにおいては、前記第１の記憶手段に記憶される特定の第１の識別子の組に属する第２の識別子のリストを端末装置に通信回線を介し送信する機能をさらにコンピュータに実現させることを特徴とする。
【００２６】
本発明に係るコンピュータプログラムにおいては、既に配信済みのコンテンツに係る第１の識別子と第２の識別子の組を前記第１の記憶手段から削除する機能をさらにコンピュータに実現させることを特徴とする。
【００２７】
本発明に係るコンピュータプログラムにおいては、既に配信済みのコンテンツに係る第１の識別子と第２の識別子の組の削除要求を端末装置から通信回線を介し受信したときに、前記第１の記憶手段からの削除を実行することを特徴とする。
【００２８】
本発明に係るコンピュータプログラムにおいては、前記コンテンツの配信が完了したときに、前記第１の記憶手段からの削除を実行することを特徴とする。
これにより、前述の情報配信装置がコンピュータを利用して実現できるようになる。
【発明の効果】
【００２９】
本発明によれば、情報配信単位ごとの第１の識別子（ＡＩＤ）と、特定の場所に対応付けられた第２の識別子（ＥＩＤ）とが揃った場合にのみ、コンテンツの配信が行われるので、情報発信者が特定の情報受信者に対して第１の識別子及び第２の識別子の発信位置を通知することにより、場所及び受信者を特定してコンテンツの配信を行うことができる。
【発明を実施するための最良の形態】
【００３０】
以下、図面を参照し、本発明の一実施形態について説明する。
図１は、本発明の一実施形態に係る情報配信システムの構成を示すブロック図である。図１において、情報配信システムは、情報配信サーバ１及びＩＤ発信機管理サーバ２を有する。情報配信サーバ１とＩＤ発信機管理サーバ２は通信ネットワークを介して接続されている。
【００３１】
ＩＤ発信機３は、特定の場所に対応付けられた識別子（ＥＩＤ）を保持し、その保持しているＥＩＤを無線により発信する。各ＩＤ発信機３には、互いに異なるＥＩＤが割り当てられている。例えば、東京都千代田区にあるＡビルの１階のフロアには、ＥＩＤが１であるＩＤ発信機３と、ＥＩＤが２であるＩＤ発信機３とが設置されている。また、東京都千代田区にあるＢビルの５階のフロアには、ＥＩＤが３であるＩＤ発信機３と、ＥＩＤが４であるＩＤ発信機３とが設置されている。
【００３２】
ＩＤ発信機管理サーバ２は、ＩＤ発信機３の管理情報を予め記憶手段に保持している。図２には、ＩＤ発信機３の管理情報の構成例が示されている。ＩＤ発信機３の管理情報は、ＥＩＤと、ＩＤ発信機３の設置場所を示す位置情報との組み合わせからなる。ＩＤ発信機３の管理情報は、どのＥＩＤのＩＤ発信機３がどこに設置されているのかを示す。
【００３３】
携帯端末４ａは、情報発信者であるユーザＡが有する端末である。携帯端末４ｂは、情報受信者であるユーザＢが有する端末である。携帯端末４ａ，４ｂ（以下、特に区別しないときは「携帯端末４」と称する）は、通信手段を有しデータ通信を行うものであってもよく（例えば携帯電話機）、或いは自らは通信手段を有さずに他の通信装置に接続してデータ通信を行うものであってもよい（例えばＰＤＡ（Personal Digital Assistants：個人用情報機器））。携帯端末４ａは、通信ネットワークを介して情報配信サーバ１とデータを送受信する。また、携帯端末４ａと４ｂは、通信ネットワークを介して相互にデータを送受信する。
【００３４】
携帯端末４ｂは、ＩＤ発信機３から発信されたＥＩＤを受信する無線受信手段を有する。
【００３５】
情報配信サーバ１は、情報配信の登録情報を記憶手段に保持する。図３には、情報配信の登録情報の構成例が示されている。情報配信の登録情報は、情報発信者であるユーザのアカウント識別子（ＡＩＤ）とＥＩＤとコンテンツの組み合わせからなる。情報配信の登録情報は、ＡＩＤとＥＩＤのどの組み合わせに対して、どのコンテンツを配信するのかを示す。コンテンツとしては、テキストデータ、画像データ、音声データ又はウェブページを表示するためのＨＴＭＬ（HyperText Markup Language）データなど、各種データを単独或いは複数の組み合わせで扱うことができる。
【００３６】
次に、図４，図５を参照して、上記図１の情報配信システムの動作を説明する。図４には、情報配信システムの全体的な処理の流れが示されている。図５には、各装置１〜４に係る処理シーケンスが示されている。
【００３７】
図４において、先ず、ユーザＡ（情報発信者）は、携帯端末４ａを用いて、ＡＩＤと発信位置とコンテンツの組を情報配信サーバ１に送信する（ステップＳ１）。この処理を図５を参照してさらに詳細に説明すれば、ユーザＡは、携帯端末４ａの配信情報登録アプリケーションを起動して情報配信サーバ１に接続し、先ず、情報配信サーバ１に対して発信位置リストの取得要求を送信する（ステップＳ１１）。次いで、情報配信サーバ１は、その要求に応じて、ＩＤ発信機管理サーバ２からＩＤ発信機３の管理情報を取得し、発信位置リストとして携帯端末４ａに返信する（ステップＳ１２）。ＩＤ発信機３の管理情報には、各ＩＤ発信機３の設置場所の一覧が含まれている（図２参照）。次いで、携帯端末４ａは、その発信位置リストをＧＵＩ（Graphical User Interface）により画面表示する。
【００３８】
次いで、ユーザＡは、その発信位置リストから所望の発信位置を選択するとともに、該選択した発信位置で情報受信者に受信して欲しいコンテンツを指定し、登録設定を行う。次いで、携帯端末４ａは、それら発信位置及びコンテンツ、並びにユーザＡのＡＩＤを情報配信サーバ１に送信する（ステップＳ１３）。なお、ここでは、コンテンツは携帯端末４ａに保持されているものとする。同様に、ユーザＡのＡＩＤも携帯端末４ａに保持されているものとする。
【００３９】
図４に戻り、情報配信サーバ１は、ＡＩＤと発信位置とコンテンツの組を受信すると、その受信した発信位置に対応するＥＩＤをＩＤ発信機管理サーバ２に問い合わせて取得する（ステップＳ２）。次いで、情報配信サーバ１は、その取得したＥＩＤと、携帯端末４ａから受信したＡＩＤ及びコンテンツとを組として記憶手段に記憶する（ステップＳ３）。これにより、図３に示されるように配信情報が登録される。この登録完了により、情報配信サーバ１は、携帯端末４ａに登録完了通知を返信する（図５のステップＳ２１）。次いで、携帯端末４ａは、その登録完了通知をＧＵＩにより画面表示する。
【００４０】
次いで、ユーザＡは、携帯端末４ａを用いて、ＡＩＤと発信位置をユーザＢ（情報受信者）の携帯端末４ｂに送信する（図４のステップＳ４、図５のステップＳ４１）。例えば、電子メールを利用してＡＩＤと発信位置を携帯端末４ｂに送信する。次いで、ＡＩＤと発信位置がユーザＢによって確認され、その通知が携帯端末４ｂから送信され、携帯端末４ａで受信されると（図５のステップＳ４２）、携帯端末４ａはその確認完了をＧＵＩにより画面表示する。
【００４１】
次いで、ユーザＢは、ユーザＡから通知された発信位置に移動する。そして、その発信位置において、携帯端末４ｂは、ＩＤ発信機３から発信されたＥＩＤを受信する（図４のステップＳ５）。この処理を図５を参照してさらに詳細に説明すれば、ユーザＢは、携帯端末４ｂのコンテンツ受信アプリケーションを起動して情報配信サーバ１に接続し、先ず、情報配信サーバ１に対してＥＩＤリストの取得要求を送信する（ステップＳ５１）。ここで要求するのは、ユーザＡから通知されたＡＩＤと組になっているＥＩＤのリストである。例えば、図３の例では、ユーザＡのＡＩＤが「Ａ００１」ならば、「Ａ００１」と組となっているＥＩＤのリストを要求する。この要求に応じて、情報配信サーバ１はそのＡＩＤ「Ａ００１」と組となっているＥＩＤの全て、「３」，「７」，・・・をリストとして携帯端末４ｂに返信する（ステップＳ５２）。次いで、携帯端末４ｂは、ＩＤ発信機３から発信されたＥＩＤを受信すると、その受信したＥＩＤとＥＩＤリストの照合を行う（ステップＳ５３）。この照合の結果、一致したならば、コンテンツ受信にブラウザを起動する（ステップＳ５４）。
【００４２】
図４に戻り、次いで、携帯端末４ｂは、ユーザＡから通知されたＡＩＤと、発信位置で受信したＥＩＤとを情報配信サーバ１に送信してコンテンツの配信を要求し、この返信として情報配信サーバ１からコンテンツを受信する（図４のステップＳ６、図５のステップＳ６１、Ｓ６２）。ここで、情報配信サーバ１は、携帯端末４ｂから受信したＡＩＤとＥＩＤの組に対応付けられているコンテンツを、図３の登録情報から検索して取得する。次いで、携帯端末４ｂは、その返信されたコンテンツを出力する。この出力形態としては、コンテンツの種類に応じて、画面表示又は音声出力等される。
【００４３】
次いで、ユーザＢがコンテンツ出力の終了を指示すると、携帯端末４ｂは、配信情報削除アプリケーションを起動して情報配信サーバ１に接続し、情報配信サーバ１に対して登録情報の削除要求を送信する（図５のステップＳ７１）。ここで要求するのは、既に受信済みのコンテンツに係るＡＩＤとＥＩＤの組の登録情報である。次いで、情報配信サーバ１は、その要求に応じて、既に配信済みのコンテンツに係るＡＩＤとＥＩＤの組の登録情報を記憶手段から削除し、その削除完了通知を携帯端末４ｂに返信する（図５のステップＳ７２）。
【００４４】
上述したように本実施形態によれば、情報発信者の情報配信単位ごとの第１の識別子（ＡＩＤ）と、特定の場所に対応付けられた第２の識別子（ＥＩＤ）とが揃った場合にのみ、コンテンツの配信が行われる。ここで、ＡＩＤ及びＥＩＤの発信位置は情報発信者から特定の情報受信者に対して通知されるものである。これにより、場所及び受信者を特定してコンテンツの配信を自動的に行うことが可能となる。
【００４５】
なお、上記図５では、情報配信サーバ１は、情報受信者からの要求に応じて、既に配信済みのコンテンツに係るＡＩＤとＥＩＤの組の登録情報を削除したが、配信完了時（図５のステップＳ６２の後）に当該配信済みのコンテンツに係るＡＩＤとＥＩＤの組の登録情報を削除するようにしてもよい。
【００４６】
また、上記図５では、情報受信者の携帯端末４ｂは、予めＥＩＤリストを情報配信サーバ１から取得して発信位置で受信したＥＩＤとの照合を行ったが、ＥＩＤを受信するごとにＡＩＤとＥＩＤの組を情報配信サーバ１に送信してコンテンツの配信要求を行ってもよい。この場合、情報配信サーバ１は、携帯端末４ｂから受信したＡＩＤとＥＩＤの組が登録されている場合にのみ、対応するコンテンツを返信し、登録されていない場合にはエラーを返信する。
【００４７】
また、情報発信者は複数のＡＩＤを有し、適宜使い分けることが可能である。例えば、同一のＥＩＤに対して複数のＡＩＤ及びＡＩＤごとに異なるコンテンツを組み合わせることにより、同じ場所で同じＥＩＤを受信した複数の情報受信者に対して、それぞれ異なるＡＩＤを通知してそれぞれ異なるコンテンツを配信することができる。
【実施例】
【００４８】
図６、図７は本発明の情報配信システムに係る装置の一実施例である。
図６には、携帯端末４の機能ブロック構成が示されている。図６において、携帯端末４は、配信情報登録用のアプリケーション４０ａと、コンテンツ受信用のアプリケーション４０ｂを有する。また、一般的な機能として、メール送信部５１、ＨＴＴＰ（HyperText Transfer Protocol）接続部５２、メール受信部５３及びＷｅｂブラウザ５４を有する。
【００４９】
アプリケーション４０ａは、情報発信者が使用するアプリケーションである。アプリケーション４０ａは、配信情報登録部４１と配信情報記憶部４２を有する。配信情報登録部４１は、図５に示される、発信位置リストの取得及び表示、「ＡＩＤ、発信位置及びコンテンツ」の登録要求、及び情報受信者に対する「ＡＩＤ及び発信位置」の通知などの処理を行う。本実施例では、電子メールを利用して情報受信者に「ＡＩＤ及び発信位置」を通知する。配信情報記憶部４２は、情報発信者のＡＩＤ、情報受信者の電子メールアドレス、及びコンテンツ（件名、メッセージ、添付ファイル）を記憶している。情報発信者のＡＩＤには、例えば、情報発信者の電子メールアドレスが利用可能である。また、配信情報登録部４１は、「ＡＩＤ、発信位置及びコンテンツ」の登録完了通知の受信時に、情報受信者宛の「ＡＩＤ及び発信位置」の通知メールを自動的に発信することができる。
【００５０】
アプリケーション４０ｂは、情報受信者が使用するアプリケーションである。アプリケーション４０ｂは、受信制御部４３、ＥＩＤリスト取得部４４、及びＥＩＤ受信部４５を有する。受信制御部４３は、コンテンツ受信に係る動作を制御する。ＥＩＤリスト取得部４４は、図５に示される、ＥＩＤリストの取得の処理を行う。ＥＩＤ受信部４５は、ＩＤ発信機３から発信されたＥＩＤの受信の処理を行う。
【００５１】
受信制御部４３は、情報発信者からの「ＡＩＤ及び発信位置」の通知メールをメール受信部５３を介して受け取ると、ＥＩＤリスト取得部４４及びＥＩＤ受信部４５を起動する。また、受信制御部４３は、ＥＩＤリスト取得部４４によって取得されたＥＩＤリストと、ＥＩＤ受信部４５によって受信されたＥＩＤとの照合を行う。この照合の結果、一致した場合に、Ｗｅｂブラウザ５４を介して「ＡＩＤ及びＥＩＤ」の組を通知してコンテンツの配信を要求する。この要求に応じて返信されたコンテンツは、Ｗｅｂブラウザ５４によって表示等で出力される。また、受信制御部４３は、配信済みのコンテンツに係る登録情報の削除要求の処理を行う。
【００５２】
図７には、情報配信及びＩＤ発信機管理サーバ１０の機能ブロック構成が示されている。本実施例では、図１に示される情報配信サーバ１及びＩＤ発信機管理サーバ２の機能を一つのサーバ１０で実現している。サーバ１０は、配信情報登録関連のコンポーネント１０ａと、情報配信関連のコンポーネント１０ｂを有する。また、一般的な機能として、データベース２１とＷｅｂサーバ部２２を有する。Ｗｅｂサーバ部２２は、ＨＴＴＰ接続によるデータ通信を行う機能とＷｅｂページの開設に係る機能を有する。
【００５３】
コンポーネント１０ａは、発信位置リスト送信部１１と配信情報登録受信部１２を有する。発信位置リスト送信部１１は、Ｗｅｂサーバ部２２を介して発信位置リスト取得要求を受け取ると、データベース２１からＩＤ発信機３の管理情報を読み出す。そして、その読み出した管理情報を発信位置リストとしてＷｅｂサーバ部２２を介して返信する。データベース２１には、予めＩＤ発信機３の管理情報（図２参照）が格納されている。
【００５４】
配信情報登録受信部１２は、Ｗｅｂサーバ部２２を介して「ＡＩＤ、発信位置及びコンテンツ」の登録要求を受け取ると、その受け取った「ＡＩＤ、発信位置及びコンテンツ」をデータベース２１に格納する。これにより、データベース２１には、「ＡＩＤ、発信位置及びコンテンツ」の組が登録される（図３参照）。
【００５５】
コンポーネント１０ｂは、ＥＩＤリスト送信部１３とコンテンツ送信部１４と登録情報削除受信部１５を有する。ＥＩＤリスト送信部１３は、Ｗｅｂサーバ部２２を介してＡＩＤとともにＥＩＤリスト取得要求を受け取ると、その要求されたＡＩＤと組になっているＥＩＤをデータベース２１中の登録情報（図３参照）から検索する。この検索の結果、発見されたＥＩＤをリストとしてＷｅｂサーバ部２２を介して返信する。
【００５６】
コンテンツ送信部１４は、Ｗｅｂサーバ部２２を介して「ＡＩＤ及びＥＩＤ」の組とともにコンテンツ配信要求を受け取ると、その要求された「ＡＩＤ及びＥＩＤ」と組になっているコンテンツをデータベース２１中の登録情報（図３参照）から検索する。この検索の結果、発見されたコンテンツをＷｅｂサーバ部２２を介して返信する。
【００５７】
登録情報削除受信部１５は、Ｗｅｂサーバ部２２を介して「ＡＩＤ及びＥＩＤ」の組とともに登録情報削除要求を受け取ると、その削除要求された「ＡＩＤ及びＥＩＤ」の組の登録情報をデータベース２１から削除する。
【００５８】
また、図１に示す情報配信サーバ１又はＩＤ発信機管理サーバ２の機能を実現するためのプログラムをコンピュータ読み取り可能な記録媒体に記録して、この記録媒体に記録されたプログラムをコンピュータシステムに読み込ませ、実行することにより情報配信処理を行ってもよい。なお、ここでいう「コンピュータシステム」とは、ＯＳや周辺機器等のハードウェアを含むものであってもよい。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６０】
以上、本発明の実施形態を図面を参照して詳述してきたが、具体的な構成はこの実施形態に限られるものではなく、本発明の要旨を逸脱しない範囲の設計変更等も含まれる。
例えば、ＩＤ発信機は、アクティブ型の発信機であってもよく、或いはパッシブ型の発信機であってもよい。情報受信者の端末が有するＩＤ受信機（ＥＩＤ受信用の無線受信手段）は、ＩＤ発信機の発信方式に対応したものを用いる。
【００６１】
また、情報受信者の端末内に、当該情報受信者宛に配信するコンテンツを予めダウンロードしておき、情報受信者の端末内で、ＥＩＤとＥＩＤリストとの照合が成功した場合に当該コンテンツの出力を行うようにしてもよい。
【００６２】
また、上述した実施形態では、コンテンツの配信を行うシステムに適用したが、例えば、ＡＩＤとＥＩＤの組が揃った場合に情報受信者の端末内の特定のアプリケーションを起動するように構成してもよい。
【００６３】
また、上述した実施形態では、環境側にＩＤ発信機を設置し、情報受信者がＩＤ受信機を携行したが、その逆の形態として環境側にＩＤ受信機を設置し、情報受信者がＡＩＤの発信機を携行するように構成してもよい。この場合、各ＩＤ受信機と情報配信装置を通信ネットワークを介して接続し、ＩＤ受信機で受信されたＡＩＤと当該ＩＤ受信機の設置場所に対応付けられたＥＩＤとの組により、コンテンツ等の情報を配信する制御を行う。
【００６４】
また、上述したように本実施形態によれば、「情報発信者からの通知情報（ＡＩＤ及び発信位置）を受信したユーザ」であり、且つ、「情報発信者が指定した場所においてＩＤ発信機からのＥＩＤを受信すること」がなされない限り、情報発信者から提供される情報を閲覧することはできない。これを例えばサービス提供システムに応用することができる。ＡＩＤはサービスを受けるために必要なサービスキーに相当し、ＥＩＤはサービスを享受できる場所に到着したことを証明する証明キーに相当する。例えば、サービス事業者はＡＩＤと発信位置を含む宣伝情報をユーザの携帯端末に送付する。その宣伝情報を受信したユーザは、実際にその発信位置に移動することによって、電子クーポンや電子コンテンツ等が配信されるようなサービスを享受する。これにより、あるサービス事業者がユーザに対して、特定の場所に来ていただければサービスが受けることが可能である旨を通知しておき、実際に来ていただいたユーザに対してのみサービスを提供することが可能となる。
【図面の簡単な説明】
【００６５】
【図１】本発明の一実施形態に係る情報配信システムの構成を示すブロック図である。
【図２】ＩＤ発信機３の管理情報の構成例を示す図表である。
【図３】情報配信の登録情報の構成例を示す図表である。
【図４】図１に示す情報配信システムの全体的な処理の流れを示すシーケンス図である。
【図５】図１に示す情報配信システムの各装置１〜４に係る処理シーケンス図である。
【図６】本発明の一実施形態に係る携帯端末４の機能ブロック構成図である。
【図７】本発明の一実施形態に係る情報配信及びＩＤ発信機管理サーバ１０の機能ブロック構成図である。
【符号の説明】
【００６６】
１…情報配信サーバ、２…ＩＤ発信機管理サーバ、３…ＩＤ発信機、４，４ａ，４ｂ…携帯端末、１１…発信位置リスト送信部、１２…配信情報登録受信部、１３…ＥＩＤリスト送信部、１４…コンテンツ送信部、１５…登録情報削除受信部、２１…データベース、２２…Ｗｅｂサーバ部、４１…配信情報登録部、４２…配信情報記憶部、４３…受信制御部、４４…ＥＩＤリスト取得部、４５…ＥＩＤ受信部、５１…メール送信部、５２…ＨＴＴＰ接続部、５３…メール受信部、５４…Ｗｅｂブラウザ
【図１】
2006277455.tif 000003
【図２】
2006277455.tif 000004
【図３】
2006277455.tif 000005
【図４】
2006277455.tif 000006
【図５】
2006277455.tif 000007
【図６】
2006277455.tif 000008
【図７】
2006277455.tif 000009